(57)【要約】【課題】本発明は、単品釣針ハリスの糸巻に於いて、従来は梯子型や円盤方の物が一般的あるが、針先の保管、ハリスの糸巻きするのが、使用上今一であった。特に単品釣針とハリスが付いた商品の梱包は紙の糸巻を使用し、数多くの釣針が入って、ハリスがからみあっている為取り出し難く、ハリスが途中で切れたり、釣針が手に刺さったりするなど問題があった。【解決手段】本体は円筒、角筒、多角筒、板状体を本体とし、上部円周等に釣針の保管部としてＶ字、凸凹、山谷の切れ込みを入れ、本体全体の円筒、角筒、板状体の空間に縦に円柱、角柱、多角柱に帽子、笠を設け頭部より切れ目入れた部材、糸巻止兼糸止めを任意の数を垂直に設け、釣針先を釣針保管部へ内側に向けて引っ掛けハリスを縦に設けた糸巻兼糸止めに巻き取りし、ハリスの終端を切れ目糸止めに固定する様にした物を一セットとし円筒等の空間に糸巻兼糸止め切れ目式を任意の数を縦列に配置した単品釣針ハリスの糸巻である。【選択図】                図１
2005095180.tif 000002
【特許請求の範囲】
【請求項１】
円筒、三角筒、四角筒、六角筒、多角筒、板状体を本体として、本体の上部の釣針保管部より下方の空間に対して、円柱、角柱、多角柱の先端に帽子、笠の何れかの形体のものを取り付け更に先端部の帽子、笠の先端から下方の柱に対して切れ目入れたハリス糸巻兼糸止め切れ目式として、ハリスの糸巻兼糸止めを行う突起物とすると共にハリスの終端に近い部分を何れかの柱類に一回転させたうえ、切れ目に挿入し固定させることの出来るハリス糸巻兼糸止め切れ目式タイプの突起物取り付けたものを特徴とする単品釣針ハリス糸巻。
【請求項２】
請求項１の記載の単品釣針ハリス糸巻のハリス糸巻兼糸止め切れ目式を本体空間に縦に一個以上、任意の数を垂直に一列に配したものを、一セットとして、単品釣針ハリスの糸巻とし、円筒、三角筒、四角筒、六角筒、多角筒、板状体を本体とした周囲に垂直に一セット以上、任意の数を縦列に配置し、円筒、三角筒、四角筒、六角筒、多角筒、板状体に対して、垂直にハリス部分を糸巻する事の出来る、ハリス糸巻兼糸止め切れ目式タイプの突起物を取り付けたものを特徴とする単品釣針ハリス糸巻。
【発明の詳細な説明】
【発明の詳細な説明】
【発明の所属する技術分野】
【０００１】本発明はプラスチック、竹、木、その他樹脂等の素材の活用が出来る、単品釣針ハリス糸巻。
【背景の技術】
【０００２】釣針が一個の場合のハリスの糸巻は梯子タイプ、円盤型等の商品は市場に色々あるものの、今一使用上、糸巻部分が入組んでいる為、巻き難い点があり糸止めが外れやすく、又釣針がむきだしになっているため怪我が発生しやすい状況であった。特に現在釣具メーカーに於いて発売されている単品釣針のハリスの包装は紙の糸巻に数多くの物が梱包されている為、糸が絡み合って一個を取り出す際、取り出しにくく、途中でハリスが切れたり、針で怪我をする等問題があった。これら解決の為公開特許、実用新案広報を参照するも、単品釣針ハリスの糸巻に於いては円筒、四角筒、六角筒、多角筒タイプの糸巻は見当たらない新しい発明です。
【公開特許広報】
特開２００２−２０９４９０参照
（５１）Ｉｎｔｃ１．５  Ａ０１Ｋ９７／０６
【公開実用新案広報】
実開平４−１２９７７９参照
（５１）Ｉｎｔｃ１．５  Ａ０１Ｋ９７／０６
【公開実用新案広報】
実開平２−４９８７４参照
（５１）Ｉｎｔｃ１．５  Ａ０１Ｋ９７／０６
【公開実用新案広報】
実開昭４５−１４９３６
【公開実用新案広報】
実開昭５３−３９７９０
（５１）Ｉｎｔｃ１．５  Ａ０１Ｋ９７／０６
【公開実用新案広報】
実開昭５０−１２８２９２
（５１）Ｉｎｔｃ１．５  Ａ０１Ｋ８９／００
【公開実用新案広報】
実開平７−１３１６３
（５１）Ｉｎｔｃ１．５  Ａ０１Ｋ８９／００
【発明の開示】
【発明が解決しようとする課題】
【０００３】従来は単品の釣針のハリスの保管は竹製のはしご型、円盤型、発泡スチロールの糸巻や厚紙の上部に切り込みを入れた物等が商品化されているが、ハリスが近隣接の為、絡み易く糸巻し難いところが有った、特に単品釣針ハリスのセット商品はハリスの部分が絡んでいる為、梱包より引抜が難しく、切れる時もあり、糸止めが外れやすかったので、簡単、安全に釣針ハリスが取り出し、綺麗に糸巻できる様に改善することが必要であった。この為特許出願平成１５年９月２２日、出願番号２００３−３６０９２の単品釣針ハリス糸巻に於いてハリス糸巻兼糸止めの横穴式を発明するも、当該突起の使用に於いてハリスの糸止めの際に横穴にハリスを挿入することがハリスの太目の場合比較的簡単に挿入し糸止めすることが可能であるも、ハリスの細めの場合には横穴に挿入することはハリスが軟弱な為難しい面があり、ハリスの細め用として簡単使用可能なハリス糸巻兼糸止めの発明を行う必要があった。
【課題を解決するための手段】
【０００４】円筒、三角筒、四角筒、六角筒、多角筒、板状体を本体として、本体の先端円周に一個から任意の数のＶ字型、山谷型、凸凹型等の切り込みを入れて、単品釣針にハリスが付いた物の、釣針を収容する釣針保管部を設け、円筒、三角筒、四角筒、六角筒、多角筒、板状体を本体として、本体の上部の釣針保管部より下方の空間に対して、円柱、角柱、多角柱の物の上部に、ハリス外れ止めの帽子、笠を付けた物の先端中央より柱に向けて垂直に切れ目を入れ、ハリスを円柱類に一回転させてから、挟む形にして糸止め出来る糸巻兼糸止め切れ目式タイプの糸巻兼糸止めを使用し、それを本体空間に縦に１個以上、任意の数を一列に配したものを、１セットとして、釣針を釣針保管部に引掛けた後に、ハリスの長さに応じた任意の位置の糸巻兼糸止め１箇所以上、任意の数にハリスの巻取りを繰り返しＵターンさせて糸巻し、ハリスの終端を近くの、糸巻兼糸止めの、切れ目に挟む事を１セットの単品釣針ハリス糸巻として単独で機能し、糸巻兼糸止め切れ目式を円周等の全体に縦に１セット以上、任意の数を縦列に配置した、糸巻兼糸止め切れ目式部材を取り付けた糸巻で、数多くの単品釣針ハリスを保管出来る糸巻の発明により、今までの問題を解決することが出来た単品釣針ハリス糸巻きである。又本体全体の長さは、釣針のハリスの長さにより調整可能であり更に釣針の数により直径又は一辺を任意の長さに調整出来る可能な、タイプの単品釣針ハリス糸巻により諸問題点を解決したものである。特に特許出願平成１５年９月２２日、出願番号２００３−３６０９２に於いてハリス糸巻兼糸止めの横穴式を発明するも、当該突起の使用に於いてハリスの糸止めの際に横穴に挿入することがハリスの太目の場合比較的簡単に挿入糸止めすることが可能であるも、ハリスの細めの場合には横穴に挿入することはハリスが軟弱であるので難しい面があり、ハリスの細め用として簡単使用可能なハリス糸巻兼糸止め切れ目式の単品釣針ハリスの糸巻の発明を行ったものである。
【発明の効果】
【０００５】現在釣針のハリスの付いたもの保管は発泡スチロール、紙糸巻、竹梯子、円盤型等を加工したものに、切れ目を入れ糸止めにした物が殆どであるが、ハリがむきだしになっているのでハリで怪我をしたり、服に引っ掛けたりしている。今回の発明品は釣針ハリの先が円筒の内側に入るので危険防止となっている上、釣針とハリスが直線的に単独で糸巻するようになる為、隣接との交わりは無くハリスを綺麗に巻き取りすることが出来るものであり、糸止めは円柱等の頭部に帽子、笠を付け、ハリスのはずれ止めとし、帽子、笠の上部中央より切れ目を入れたものを糸止めとし、その円柱などにハリスを一回転させてからハリス終端切れ目に挟みこみ固定し、糸止めとしたもので、外れ難く、糸絡みが少なくすることが出来る単品釣針ハリス糸巻である。釣り途中でのハリスの切断、追加によりハリスの長さが、長いものでも、短いものでも、糸巻兼糸止めの数があるため糸止めすることが可能になった糸巻で使い易くなったものである。特に糸巻兼糸止め切れ式の糸巻は細めのハリスのものを使用に適している糸巻である。又当該単品釣針ハリス糸巻はハリスの長さが、長いものでも、短いものでも、本体の長さ、直径、一辺の大きさの調整、糸巻兼糸止めの数及び先端の釣針保管部のＶ字型、山谷型、凸凹型の数を増やすことにより数多くの単品釣針ハリスの巻取りが可能で、単品釣針のハリスの保管の数が、従来の梯子、円盤タイプより、多くものが保管出来る、単品釣針ハリス糸巻である。
【発明の実施するための最良の形態】
【０００６】図７に示す実施例に基づいて本発明の実施態様を説明する。始めに糸巻の本体２の円筒類の上部、Ｖ字型、山谷型、凸凹型等の釣針保管部１の切り込みに釣針７の針先を内側に向けセットし、それに付いているハリス８の長さに応じて下方にある糸案内糸巻兼糸止め切れ目式４、５、６のいずれかの中から、例えば４列内の糸案内糸巻兼糸止め切れ目式一個以上を、ハリスの長さに応じて、４−１から４−４のいずれかに、ハリス８のＵターンを繰り返し、糸巻すると共に、ハリス８の終端を近くの糸巻兼糸止め切れ目式４のいずれかを使用し、糸止め４の円柱類に、ハリス一回転させてから切れ目に挿入、固定し、外れなくする。これを縦に１列、１セットの糸巻とし、このように糸巻兼糸止め切れ目式を縦列４，５，６に円筒、角筒等に周回させた物で、糸巻兼糸止め４，５，６ように縦列の数だけ、単品釣針ハリスの保管が出来る糸巻である。使用時の釣針ハリスの糸止めの解除は糸巻兼糸止め切れ目式４の場合は従来の方法と同様に切れ目よりハリス８を外し糸巻４に巻かれたハリスをほどき、釣針保管部１に掛けていた釣針７を外して使用する。
【産業上の利用可能性】
【０００７】現在単品釣針にハリスの付いたもののセット販売している製品の梱包は紙製の糸巻を使用し、ハリスの部分が絡み合っている為、一本々取り出すのが的確に行えず、時間を要したり、ハリスが切れたりし、その後の釣針の取出しが出来ず紙糸巻を壊したりして使用しているので、今回の発明品を使用すれば、その様なことが無くなり釣のスピードアップと釣の楽しみが倍加すると思います。又この発明品を大型に工作すれば漁業用としても使用可能と考えられます。
【図面の簡単な説明】
【０００８】
【図１】  本発明に係る単品釣針ハリスの糸巻の本体の正面図。
【図２】  本体に係る側面図
【図３】  本体に係る平面図
【図４】  本体に係る一部を構成する糸巻兼糸止めの、切れ目式部品の正面図、側面図、平面図。
【図５】  本発明に係る本体に使用する単品釣針付きハリスの実態図である。
【図６】  本発明に係る実際の単品釣針ハリスを使用した場合の糸の流れを明示した使用図面である。
【符号の説明】
【０００９】        １、釣針保管部
２、本体筒
３、ハリスの糸巻部
４、１−４糸巻兼糸止め切れ目式
５、１−４糸巻兼糸止め切れ目式
６、１−４糸巻兼糸止め切れ目式
７、釣針
８、ハリス
【図１】
2005095180.tif 000003
【図２】
2005095180.tif 000004
【図３】
2005095180.tif 000005
【図４】
2005095180.tif 000006
【図５】
2005095180.tif 000007
【図６】
2005095180.tif 000008